(57)【要約】【課題】本発明は、例えば開封済みの包装体を簡単に再封緘することができ、且つ伸長させた際に破断することなく、しかも、表示面積を大きくすることができ多くの情報量が盛り込めるラベル及びラベル付属シート供給帯状体を提供することを課題とする。【解決手段】伸長可能なように複数回に折り畳まれた外基材と、該外基材の一端側の内面に接着された第１基材と、前記外基材の他端側の内面に接着された第２基材とを備え、前記第１基材及び第２基材の内面には、剥離した後に再度接着可能な弱粘着剤が塗布されてなる再接着層が設けられ、第１基材及び第２基材の被接着体への接着強度は、外基材と第１基材及び第２基材の接着強度よりも弱くなっていることにある。【選択図】    図１
2004294806.tif 000002
【特許請求の範囲】
【請求項１】
伸長可能なように複数回に折り畳まれた外基材と、該外基材の一端側の内面に接着された第１基材と、前記外基材の他端側の内面に接着された第２基材とを備え、前記第１基材及び第２基材の内面には、剥離した後に再度接着可能な弱粘着剤が塗布されてなる再接着層が設けられ、第１基材及び第２基材の被接着体への接着強度は、外基材と第１基材及び第２基材の接着強度よりも弱くなっていることを特徴とするラベル。
【請求項２】
前記第１基材及び第２基材は、単体の内側基材を分割してなる請求項１に記載のラベル。
【請求項３】
前記請求項１又は２に記載の多数のラベルが、長尺状の離型紙に接着されてなることを特徴とするラベル付属シート供給帯状体。
【発明の詳細な説明】
【０００１】
【発明の属する技術分野】
本発明は、例えば、食品等が収納された袋状等の包装体等の被接着体に接着可能で、且つ包装体を開封後に再度開封口を封緘することが可能なラベル及びラベル付属シート供給帯状体に関する。
【０００２】
【従来の技術】
従来、菓子類やコーヒー等の食品が収納される包装体としては、図１０（イ）及び（ロ）に示すような合成樹脂シートやアルミ蒸着シート等からなる袋状の包装体本体５０が使用されている。このような袋状の包装体本体５０は通常、開封するためにその上部を切断して開封するものである。このような包装体本体５０に収納された内容物を取り出し、内容物が残る等して再度封緘したい場合には、開封された包装体本体５０の上部を折り畳んでラベル５１で止着するようにできる（例えば、特許文献１参照。）。
【０００３】
前記包装体本体５０の上部を折り畳んで止着するラベル５１は、シート状のラベル基材に、接続部分５３を残して切り込み５４が形成され、該切り込み５４によって、前記接続部分５３から折り曲げて伸長させることが可能な伸長部５５と、該伸長部５５と接続部分５３を介して連接され、且つ裏面側に設けられた接着層によって包装体本体５０に接着される固定部５６がラベル基材に形成されており、且つ伸長部５５の先端側には剥離した後に再度接着可能な貼着部５７が設けられたものである。
【０００４】
そして、伸長部５５を伸長させてから貼着部５７を包装体本体５０の折り畳まれた部分に接着させることにより、包装体本体５０の上部を止着している（図１０（ロ）参照）。
【０００５】
【特許文献１】
特開平９―４８４４３号公報
【０００６】
【発明が解決しようとする課題】
前記従来のラベル５１は、ラベル基材に接続部分５３を残して切り込み５４を形成することにより、ラベル基材を折り返して伸長部５５を形成するものであるため、伸長部５５を伸ばしたときに、接続部分５３が破断し易い問題がある。
【０００７】
また、図１０（ロ）に示す如くラベル５１の使用時に、固定部５６には、伸長部５５が伸ばされることにより、空間５８が形成されることとなるため、固定部５６にバーコードや商品名等のラベル用の表示を印刷する表示面積が小さくなる問題がある。
【０００８】
そこで本発明は、例えば開封済みの包装体を簡単に再封緘することができ、且つ伸長させた際に破断することなく、しかも、表示面積を大きくすることができ多くの情報量が盛り込めるラベル及びラベル付属シート供給帯状体を提供することを課題とする。
【０００９】
【課題を解決するための手段】
本発明は、上記課題を解決すべくラベル及びラベル付属シート供給帯状体としてなされたもので、ラベルとしての特徴は、伸長可能なように複数回に折り畳まれた外基材と、該外基材の一端側の内面に接着された第１基材と、前記外基材の他端側の内面に接着された第２基材とを備え、前記第１基材及び第２基材の内面には、剥離した後に再度接着可能な弱粘着剤が塗布されてなる再接着層が設けられ、第１基材及び第２基材の被接着体への接着強度は、外基材と第１基材及び第２基材の接着強度よりも弱くなっていることにある。
【００１０】
そして、第１基材及び第２基材を、被接着体へ接着させておくことにより、外基材は折り畳まれた状態を維持することができる。第１基材の一端側を剥離させると、剥離された第１基材は、再接着層を介して被接着体の他の任意の部分に接着できる。このとき、第１基材及び第２基材の被接着体への接着強度は、外基材との接着強度よりも弱くなっていることから、外基材と第１基材及び第２基材が容易に剥離することがない。
【００１１】
しかも、外基材の折り畳まれた部分は、伸長可能であることから、伸長される外基材の全面に商品名や説明書等のラベル用の表示を印刷することができ、外基材の表示面積を大きくできる。
【００１２】
前記第１基材及び第２基材は、単体の内側基材を分割してなるのが好ましい。かかる場合には、内側基材から第１基材及び第２基材を切断等して簡単に作成できる利点がある。
【００１３】
また、ラベル付属シート供給帯状体としての特徴は、前記多数のラベルが、長尺状の離型紙に接着されてなることにある。かかるラベル付属シート供給帯状体は、周知のタックラベラーに装着して、搬送されてくる被接着体にラベルを連続的に接着できる。
【００１４】
【発明の実施の形態】
以下、本発明の実施の形態について図面を参酌しつつ説明する。図１〜図６は、本発明の一実施の形態を示し、図１（イ）及び（ロ）において、本実施の形態のラベル１は、内側基材３と外基材５とからなるラベル本体を備えている。
【００１５】
内側基材３は、例えば矩形状を呈するプラスチックフィルムからなり、第１基材３ａと第２基材３ｂとから構成されている。尚、第１基材３ａと第２基材３ｂは、プラスチックフィルムにスリット２を形成して内側基材３を２分割したものである。第１基材３ａと第２基材３ｂの内面には、弱粘着剤が塗布されてなる再接着層７が設けられている。かかる再接着層７とは、接着した後にも剥離することが可能であり、さらに剥離した後にも粘着性を有し再度接着可能に設けられた接着層である。そして、第１基材３ａと第２基材３ｂは、再接着層７を介して離型紙４に剥離可能に接着されている。第１基材３ａの一端側端縁部の再接着層７の裏面には、粘着力の無い摘み部６を形成するため、インキ等で粘着剤をマスキングしたのり抑え（マスキング）層７ａが設けられている。
【００１６】
前記外基材５は、帯状のプラスチックフィルム（前記内側基材３のプラスチックフィルムよりも長尺状のもの）からなり、該ラベル基材５の表面側にはバーコード等や商品名等の任意の表示が印刷等によって設けられている。外基材５の幅長（短辺の長さ）は、内側基材３の幅長と同等に設定されている。また、外基材５は複数折りされている。具体的には、外基材５は、３つ折りされており、外側から外側部５ａ、中間部５ｂ及び内側部５ｃとからなる。
【００１７】
外側部５ａの一端部５ａ１は、接着剤としてのホットメルト接着剤８ａを介して前記第１基材３ａに接着されている。尚、外側部５ａの一端部５ａ１の裏面に前記のり抑え層７ａが位置している。外側部５ａの他端と中間部５ｂの一端とは、屈曲部５ｅで連設され、中間部５ｂの他端と内側部５ｃの一端とは、屈曲部５ｆで連設されている。
【００１８】
内側部５ｃの他端部５ｃ１は、ホットメルト接着剤８ｂを介して、前記第２基材３ｂに接着されている。外側部５ａと中間部５ｂを連設する屈曲部５ｅは、内側部５ｃの他端部５ｃ１よりも突出しており、屈曲部５ｅは、該屈曲部５ｅに塗布されたシリコーン等の非接着層１０を介してホットメルト接着剤８ｂに接着し難く、しかも、不用意に剥離しないようになっている。
【００１９】
次に、前記ラベルを製造する工程について図５及び図６を参照しながら説明する。
先ず、長尺状の離型紙４に接着された長尺状のプラスチックフィルム１２を、矢印方向に繰り出す。長尺状のプラスチックフィルム１２は、内側基材３を形成するものであり、該プラスチックフィルム１２には、長手方向（送り方向）にスリット２が連続して形成されている。また、プラスチックフィルム１２を離型紙４に接着させる再接着層７の裏面には、摘み部６を形成するためののり抑え層７ａが塗布されている。
【００２０】
次に、ホットメルトアプリケータ等のノズル等の塗布手段１３から、溶融したホットメルト接着剤８ａ，８ｂを、プラスチックフィルム１２の上面に線状に塗布する（図６のａ部分）。
【００２１】
更に、所定形状に折り畳まれた長尺状のプラスチックフィルム（外基材５となるもの）１５を、前記プラスチックフィルム１２の上面に供給し、該プラスチックフィルム１５と前記プラスチックフィルム１２を一対のロール１６で接着させる（図６のｂ部分）。尚、プラスチックフィルム１５には、予め非接着層１０が塗布されている。
【００２２】
続いて、プラスチックフィルム１５とプラスチックフィルム１２をカット刃１８により所定形状にカットし、両方のプラスチックフィルム１２，１５の不要部分１９を除去（所謂カス上げ）し（図６のｃ部分）、ラベル１が長尺状の離型紙４上に多数且つ断続して接着されたラベル付属シート供給帯状体２０を製造する。
【００２３】
かかるラベルを製造する方法によれば、プラスチックフィルム１５とプラスチックフィルム１２を供給する工程から、カス上げしてラベル１を長尺状の離型紙４上に多数且つ断続して設ける工程までを一連の工程で行えるので、ラベル付属シート供給帯状体を容易且つ迅速に製造できる。
【００２４】
次に、前記ラベル１を食品等の被収納物が収納された袋状の包装体に使用する場合について、図２及び図３を参照しながら説明する。
前記ラベル付属シート供給帯状体２０を、図示省略のタックラベラーに装着し、ラベル１を離型紙４から剥離させることにより、コンベア（図示省略）により移送されてきた包装体本体２２に、ラベル１を接着する。尚、包装体本体２２は、例えば、内部に食品等の被収納物が収納されて、上端および下端部をヒートシールされて内部が密封された袋状の包装体本体である。
前記の如くタックラベラーによって、ラベル１を効率良く包装体本体２２に自動的に接着して添付することができるが、手作業による場合であっても、ラベル１を離型紙４から剥離して包装体本体２２に接着するだけの簡単な作業で行うことができるため効率が良い。
【００２５】
前記ラベル１は、外基材５の外側部５ａの表面に印刷されたバーコード等の表示が視認できるように、前記再接着層７を介して包装体本体２２の外面に接着されている。このような包装体本体２２を開封して内部の被収納物を使用する場合には、包装体本体２２の上部を切断して開封口を形成する。
【００２６】
このように一度開封した包装体本体２２を、例えば開封後に被収納物の残りを保管するために再度包装体本体２２を封緘したい場合には、開封された包装体本体２２の上部２２ａを図３に示すように折り曲げる。更に、ラベル１の摘み部６を把持して外側部５ａの一端部５ａ１を包装体本体２２から剥離する。このとき、外側部５ａと第１基材３ａは、ホットメルト接着剤８ａで接着され、第１基材３ａは、ホットメルト接着剤８ａに比し接着強度の弱い再接着層７で包装体本体２２に接着されていることから、外側部５ａと共に第１基材３ａは包装体本体２２から剥離される。
【００２７】
包装体本体２２から剥離された外基材５の一端側を包装体本体２２の上方へ向かって伸長させ、第１基材３ａを折り曲げられた上部２２ａに接着する（図３及び図４参照）。外基材５は、伸長して外側部５ａ、中間部５ｂ及び内側部５ｃが露出した状態となることから、中間部５ｂ及び内側部５ｃに印刷されている説明書等の表示が視認できるようになる。
【００２８】
ラベル１の第１基材３ａは、前述したように剥離可能な再接着層７によって包装体本体２２に接着されているため、第１基材３ａを容易に剥離することができ、再び包装体本体２２から被収納物を取り出すことができる。しかも、本実施の形態は、従来のラベルのようにラベル基材に接続部分を残して切り込みを形成することにより、伸長部を形成するものではなく、複数回に折り畳まれた外基材５を伸長させる構成であるため、外基材５を伸長させた際に破断することはない。
【００２９】
本発明は上記実施形態に限定されることはない。例えば、図７（イ）に示す他の実施の形態は、外側部５ａと中間部５ｂを連設する屈曲部５ｅの端と、内側部５ｃの先端部５ｃ１の端が一致するように折り曲げたものである。かかる場合には、屈曲部５ｅと内側部５ｃの先端部５ｃ１とが弱粘着層２５で仮接着されている。
【００３０】
図７（ロ）に示す他の実施の形態は、外基材５を５つ折りした構成のもので、外基材５を長く設定できることから、外基材５の表示面積を更に大きくできる利点がある。尚、外基材５の折り回数は、これに限らず更に多くすることが可能である。
【００３１】
このような表示面積の拡大可能なラベルとしての使用態様は、前記の如く袋状の包装体の開口を封緘する場合に限らず、図８に示す如く、ラベル１を剛性を有する容器本体２６に接着しても良い。かかる場合においても、ラベル１を仮想線に示すように伸長させて外基材５に印刷された様々な表示を視認することができる。また、不要時には、ラベル１を折り畳んでおけるので邪魔にならず便利である。
【００３２】
図９に示す他の実施の形態は、外基材５の折り畳み部を複数個設けたものである。具体的には、一対の折り畳み部の背面同士が対向配置され、外基材５の両側をそれぞれ伸長させることができるようにしたものである。本実施の形態も外基材５を長く設定できることから、外基材５の表示面積を更に大きくできる利点がある。尚、各屈曲部５ｅと内側部５ｃの他端部５ｃ１とが弱粘着層２５で仮接着されている。
【００３３】
また、この実施の形態では、外側部５ａの一端部５ａ１の先端には、ホットメルト接着剤８ａが接着されていない摘み部６が突出して設けられている。このように摘み部６を突出して設けた場合には、前記のり抑え層７ａは必要ない。尚、このように摘み部６が突出している場合には、前記プラスチックフィルム１５とプラスチックフィルム１２を接着（積層）した後に、カット刃１８により同時にカットして形成できない。そこで、先ず、長尺状の離型紙４に接着された長尺状のプラスチックフィルム１２を所定幅にカットした後に、該プラスチックフィルム１２に、外基材となるプラスチックフィルム１５を、摘み部６が形成可能な位置に重ね合わせ、両方のフィルムを送り方向に所定長さにカットすることとなる。
【００３４】
尚、本発明は、前記の実施の形態に限定されるものではなく、第１基材３ａと第２基材３ｂは、内側基材３にミシン目を形成しておいて破断するようにしてもよい。
【００３５】
【発明の効果】
以上のように、本発明のラベルは、伸長可能なように複数回に折り畳まれた外基材と、該外基材の一端側の内面に接着された第１基材と、前記外基材の他端側の内面に接着された第２基材とを備え、前記第１基材及び第２基材の内面には、剥離した後に再度接着可能な弱粘着剤が塗布されてなる再接着層が設けられ、第１基材及び第２基材の被接着体への接着強度は、外基材と第１基材及び第２基材の接着強度よりも弱くなっているので、例えば包装体に容易に接着することができると共に、包装体から剥離し外基材を引き伸ばすことができる。従って、袋等の開封済みの包装体を簡単に再封緘するラベルとして使用できる。
【００３６】
しかも、再封緘用としては、外基材は、単に折り畳まれていた部分を伸長させるだけなので、従来のようにラベル基材に接続部分を残して切り込みを形成したものに比し、伸長させた際に破断することなく、しかも、表示面積を大きくすることができ多くの情報量が盛り込める利点がある。しかも、外基材は、伸長可能なように複数回に折り畳まれている構成なので、構造も簡単である。
【図面の簡単な説明】
【図１】本発明のラベルの一実施形態を示し、（イ）は断面図、（ロ）は一部破断を含む平面図である。
【図２】本発明のラベルを使用したラベル付き包装体を示す斜視図である。
【図３】同ラベル付き包装体を開封して再封緘した状態を示す斜視図である。
【図４】同ラベル付き包装体を開封して再封緘した状態を示す要部断面図である。
【図５】ラベル付属シート供給帯状体を製造する工程を示す概略正面である。
【図６】同平面図である。
【図７】（イ）及び（ロ）は本発明のラベルの他の実施形態をそれぞれ示す断面図である。
【図８】本発明のラベルの他の使用例を示す斜視図である。
【図９】本発明のラベルの更に他の実施形態を示す断面図である。
【図１０】従来例を示し、（イ）はラベル付き包装体を示す斜視図、（ロ）は同ラベル付き包装体を開封して再封緘した状態を示す斜視図である。
【符号の説明】
３…内側基材、３ａ…第１基材３ａ、３ｂ…第２基材、４…離型紙、５…外基材
【図１】
2004294806.tif 000003
【図２】
2004294806.tif 000004
【図３】
2004294806.tif 000005
【図４】
2004294806.tif 000006
【図５】
2004294806.tif 000007
【図６】
2004294806.tif 000008
【図７】
2004294806.tif 000009
【図８】
2004294806.tif 000010
【図９】
2004294806.tif 000011
【図１０】
2004294806.tif 000012